(57)【要約】      （修正有）【課題】  純水等の水を電気分解して水素ガス及び酸素ガスを発生させる水素・酸素発生装置を具備し、その水素・酸素発生装置で発生する水素ガス及び酸素ガスのうち、少なくとも水素ガスを各使用箇所に供給するための水素供給システム、及び水素供給方法に関し、酸素ガスの有効利用をも図ることのできる水素供給システムを提供することを課題とする。【解決手段】  隔膜によって陽極側と陰極側とに隔離された電解セルを有し、水を電気分解して水素ガスとともに酸素ガスを発生させるように構成された少なくとも１つの水素・酸素発生装置を具備し、該装置によって発生した水素ガス及び酸素ガスのうち、少なくとも水素ガスが使用箇所に供給可能に構成された水素供給システムにおいて、前記電解セルで発生する酸素ガスにより、該酸素ガスより圧力の低い状態で系内に発生する水素ガスを昇圧しうるように構成されていることを特徴とする。【選択図】  図１
2006131942.tif 000002
【特許請求の範囲】
【請求項１】
隔膜によって陽極側と陰極側とに隔離された電解セルを有し、前記電解セルに水を供給し、電気分解により前記陰極側に水素ガスを発生させるとともに陽極側に酸素ガスを発生させるように構成された少なくとも１つの水素・酸素発生装置を系内に具備し、該水素・酸素発生装置によって発生した水素ガス及び酸素ガスのうち少なくとも水素ガスが使用箇所に供給可能に構成された水素供給システムにおいて、前記水素・酸素発生装置の電解セルの陽極側に発生する酸素ガスにより、該酸素ガスより圧力の低い状態で系内に発生する水素ガスを昇圧しうるように構成されていることを特徴とする水素供給システム。
【請求項２】
隔膜によって陽極側と陰極側とに隔離された電解セルを有し、前記電解セルに水を供給し、電気分解により前記陰極側に水素ガスを発生させるとともに陽極側に酸素ガスを発生させるように構成された水素・酸素発生装置を系内に具備し、該水素・酸素発生装置によって発生した水素ガス及び酸素ガスのうち少なくとも水素ガスが使用箇所に供給可能に構成された水素供給システムにおいて、前記水素・酸素発生装置の電解セルの陰極側に発生した水素を水とともに供給して貯留する水素分離タンクと、該水素分離タンク内の水を前記電解セル側に戻す水戻り配管部とが設けられており、該水素分離タンクから水戻り配管部を介して電解セル側に返送する水中に溶存している水素ガスを減圧して抜き出し、抜き出した水素ガスを、前記陽極側に発生する酸素ガスにより昇圧しうるように構成されていることを特徴とする水素供給システム。
【請求項３】
隔膜によって陽極側と陰極側とに隔離された電解セルを有し、前記電解セルに水を供給し、電気分解により前記陰極側に水素ガスを発生させるとともに陽極側に酸素ガスを発生させるように構成された複数の水素・酸素発生装置を系内に具備し、該水素・酸素発生装置によって発生した水素ガス及び酸素ガスのうち少なくとも水素ガスが使用箇所に供給可能に構成された水素供給システムにおいて、前記複数の水素・酸素発生装置において発生する酸素ガス及び水素ガスは、それぞれ異なる圧力となるように設定され、高圧側の水素・酸素発生装置で発生する酸素ガスによって、該高圧側の水素・酸素発生装置よりも圧力の低い酸素ガス及び水素ガスを発生する水素・酸素発生装置で発生する水素ガスを昇圧しうるように構成されていることを特徴とする水素供給システム。
【請求項４】
隔膜によって陽極側と陰極側とに隔離された電解セルを有し、前記電解セルに水を供給し、電気分解により前記陰極側に水素ガスを発生させるとともに陽極側に酸素ガスを発生させるように構成された少なくとも１つの水素・酸素発生装置を系内に具備させ、該水素・酸素発生装置によって発生した水素ガス及び酸素ガスのうち少なくとも水素ガスを使用箇所に供給する水素供給方法において、前記水素・酸素発生装置の電解セルの陽極側に発生する酸素ガスにより、該酸素ガスより圧力の低い状態で系内に発生する水素ガスを昇圧することを特徴とする水素供給方法。
【請求項５】
隔膜によって陽極側と陰極側とに隔離された電解セルを有し、前記電解セルに水を供給し、電気分解により前記陰極側に水素ガスを発生させるとともに陽極側に酸素ガスを発生させるように構成された水素・酸素発生装置を系内に具備させ、該水素・酸素発生装置によって発生した水素ガス及び酸素ガスのうち少なくとも水素ガスを使用箇所に供給する水素供給方法において、前記電解セルの陰極側に発生した水素を水とともに水素分離タンクに供給して貯留し、該水素分離タンク内の水を前記電解セル側に返送し、該水素分離タンクから前記電解セル側に返送する水中に溶存している水素ガスを減圧して抜き出し、抜き出した水素ガスを、前記陽極側に発生する酸素ガスにより昇圧することを特徴とする水素供給方法。
【請求項６】
隔膜によって陽極側と陰極側とに隔離された電解セルを有し、前記電解セルに水を供給し、電気分解により前記陰極側に水素ガスを発生させるとともに陽極側に酸素ガスを発生させるように構成された複数の水素・酸素発生装置を系内に具備させ、該水素・酸素発生装置によって発生した水素ガス及び酸素ガスのうち少なくとも水素ガスを使用箇所に供給する水素供給方法において、前記複数の水素・酸素発生装置において発生する酸素ガス及び水素ガスが、それぞれ異なる圧力となるように設定し、高圧側の水素・酸素発生装置で発生する酸素ガスによって、該高圧側の水素・酸素発生装置よりも圧力の低い酸素ガス及び水素ガスを発生する水素・酸素発生装置で発生する水素ガスを昇圧することを特徴とする水素供給方法。
【発明の詳細な説明】
【技術分野】
【０００１】
本発明は、純水等の水を電気分解して水素ガス及び酸素ガスを発生させる水素・酸素発生装置を具備し、その水素・酸素発生装置で発生する水素ガス及び酸素ガスのうち、少なくとも水素ガスを各使用箇所（ユースポイント）に供給するための水素供給システム、及び水素供給方法に関するものである。
【背景技術】
【０００２】
水の電気分解により水素ガス及び酸素ガスを発生させる水素・酸素発生装置としては従来から種々のものが開発されているが、その１つとして固体電解質膜を備えた電解セルを用いたものがある。
【０００３】
この固体電解質膜とは、固体高分子電解質膜の両面に電極触媒層（陽極側および陰極側触媒層）が設けられた固体高分子電解質膜／電極接合体膜のことであり、このような固体電解質膜を備えた電解セルは、この固体電解質膜を挟持すべく設けられた電極板（陽極側および陰極側電極板）と、固体電解質膜と電極板との間に設けられた給電体（陽極側および陰極側給電体）等を用いて構成されている。
【０００４】
そして、かかる電解セルを具備する水素・酸素発生装置においては、陽極側に純水を供給して、電極板に対して通電することにより、主に陽極側触媒層で純水が分解され、酸素ガスが発生することとなる。そして、酸素ガスと同時に生成されたＨ+イオンは、電場の働きによって固体電解質膜内を移動するため、陰極側触媒層においては電子を得て、水素ガスが発生することとなる。
【０００５】
すなわち、上記のような固体電解質膜を電解セルに有する水素・酸素発生装置においては、上述した電解セルと、電解セルに純水を供給するための純水タンクと、電解セルで発生した水素ガスを貯留する水素分離タンクと、電解セルで発生した酸素ガスを貯留する酸素分離タンクとを具備して構成されている。この水素分離タンク及び酸素分離タンクに貯留された水素ガス及び酸素ガスは、種々の用途に用いるために、水素ガス及び酸素ガスのそれぞれのユースポイントに供給されることとなる。そして、このような水素・酸素発生装置に関する技術として、下記特許文献１のような出願がなされている。
【０００６】
【特許文献１】特開平８−１９３２８７号公報
【０００７】
ところで、近年においては、環境意識の高まりから、クリーンエネルギーが求められるようになっており、水素ガスがそのクリーンエネルギーとして用いられるようになっている。従って、上記のような水素・酸素発生装置で発生する水素ガスは、ある程度高圧の状態に維持されているので、上記のようなクリーンエネルギーとして好適に利用することができる。  
【０００８】
これに対して、上記のような水素・酸素発生装置で発生する酸素ガスは、利用価値がないわけではないが、実際にはその用途が限られている。その一方で、上記水素・酸素発生装置における水素分離タンクから各ユースポイントへ水素ガスが供給されると、水素分離タンク内の圧力が下がるため、水素・酸素発生装置の系内における圧力の均衡を保つため、酸素分離タンク内の圧力も下げる必要がある。従って、水素分離タンクから各使用用途へ水素ガスが供給されるのに伴って、酸素分離タンクからも酸素ガスを放出する必要がある。
【０００９】
このような状況において、上記のような水素・酸素発生装置の有効利用の観点からは、本来は水素ガスと酸素ガスの供給のバランスが保たれていることが理想的であるが、上記のようなクリーンエネルギーとしてのニーズが近年高まっていることから、実際には酸素ガスに比べて水素ガスの利用頻度がかなり高い。そのため、酸素ガスはユースポイントへ供給されるよりも、むしろ水素分離タンク内の圧力との均衡を保つため、適宜酸素分離タンク内から放出して大気解放により廃棄されているのが現状であった。しかしながら、上記のような水素・酸素発生装置から供給される酸素ガスも、水素ガスと同様にある程度の高圧に維持されているため、そのまま廃棄されるのはエネルギーの損失の感をぬぐえず、その有効利用を図ることが望ましいのはいうまでもない。
【発明の開示】
【発明が解決しようとする課題】
【００１０】
本発明は、このような点に鑑みてなされたもので、水素ガスを種々のユースポイントに供給して使用するという水素ガス利用の観点のみならず、ともすれば廃棄される傾向にあった酸素ガスの有効利用をも図ることのできる水素供給システムを提供することを課題とする。
【課題を解決するための手段】
【００１１】
本発明は、このような課題を解決するために、水素供給システム及び水素供給方法としてなされたもので、水素供給システムに係る請求項１記載の発明は、隔膜によって陽極側と陰極側とに隔離された電解セルを有し、前記電解セルに水を供給し、電気分解により前記陰極側に水素ガスを発生させるとともに陽極側に酸素ガスを発生させるように構成された少なくとも１つの水素・酸素発生装置を系内に具備し、該水素・酸素発生装置によって発生した水素ガス及び酸素ガスのうち少なくとも水素ガスが使用箇所に供給可能に構成された水素供給システムにおいて、前記水素・酸素発生装置の電解セルの陽極側に発生する酸素ガスにより、該酸素ガスより圧力の低い状態で系内に発生する水素ガスを昇圧しうるように構成されていることを特徴とする水素供給システム。
【００１２】
また請求項２記載の発明は、隔膜によって陽極側と陰極側とに隔離された電解セルを有し、前記電解セルに水を供給し、電気分解により前記陰極側に水素ガスを発生させるとともに陽極側に酸素ガスを発生させるように構成された水素・酸素発生装置を系内に具備し、該水素・酸素発生装置によって発生した水素ガス及び酸素ガスのうち少なくとも水素ガスが使用箇所に供給可能に構成された水素供給装置において、前記水素・酸素発生装置の電解セルの陰極側に発生した水素を水とともに供給して貯留する水素分離タンクと、該水素分離タンク内の水を前記電解セル側に戻す水戻り配管部とが設けられており、該水素分離タンクから水戻り配管部を介して電解セル側に返送する水中に溶存している水素ガスを減圧して抜き出し、抜き出された水素ガスを前記陽極側に発生する酸素ガスにより昇圧しうるように構成されていることを特徴とする。
【００１３】
さらに、請求項３記載の発明は、隔膜によって陽極側と陰極側とに隔離された電解セルを有し、前記電解セルに水を供給し、電気分解により前記陰極側に水素ガスを発生させるとともに陽極側に酸素ガスを発生させるように構成された複数の水素・酸素発生装置を系内に具備し、該水素・酸素発生装置によって発生した水素ガス及び酸素ガスのうち少なくとも水素ガスが使用箇所に供給可能に構成された水素供給システムにおいて、前記複数の水素・酸素発生装置において発生する酸素ガス及び水素ガスは、それぞれ異なる圧力となるように設定され、高圧側の水素・酸素発生装置で発生する酸素ガスによって、該高圧側の水素・酸素発生装置よりも圧力の低い酸素ガス及び水素ガスを発生する水素・酸素発生装置で発生する水素ガスを昇圧しうるように構成されていることを特徴とする。
【００１４】
さらに、水素供給方法に係る請求項４記載の発明は、隔膜によって陽極側と陰極側とに隔離された電解セルを有し、前記電解セルに水を供給し、電気分解により前記陰極側に水素ガスを発生させるとともに陽極側に酸素ガスを発生させるように構成された少なくとも１つの水素・酸素発生装置を系内に具備させ、該水素・酸素発生装置によって発生した水素ガス及び酸素ガスのうち少なくとも水素ガスを使用箇所に供給する水素供給方法において、前記水素・酸素発生装置の電解セルの陽極側に発生する酸素ガスにより、該酸素ガスより圧力の低い状態で系内に発生する水素ガスを昇圧することを特徴とする。
【００１５】
さらに、請求項５記載の発明は、隔膜によって陽極側と陰極側とに隔離された電解セルを有し、前記電解セルに水を供給し、電気分解により前記陰極側に水素ガスを発生させるとともに陽極側に酸素ガスを発生させるように構成された水素・酸素発生装置を系内に具備させ、該水素・酸素発生装置によって発生した水素ガス及び酸素ガスのうち少なくとも水素ガスを使用箇所に供給する水素供給方法において、前記電解セルの陰極側に発生した水素を水とともに水素分離タンクに供給して貯留し、該水素分離タンク内の水を前記電解セル側に返送し、該水素分離タンクから前記電解セル側に返送する水中に溶存している水素ガスを減圧して抜き出し、抜き出した水素ガスを、前記陽極側に発生する酸素ガスにより昇圧することを特徴とする。
【００１６】
さらに、請求項６記載の発明は、隔膜によって陽極側と陰極側とに隔離された電解セルを有し、前記電解セルに水を供給し、電気分解により前記陰極側に水素ガスを発生させるとともに陽極側に酸素ガスを発生させるように構成された複数の水素・酸素発生装置を系内に具備させ、該水素・酸素発生装置によって発生した水素ガス及び酸素ガスのうち少なくとも水素ガスを使用箇所に供給する水素供給方法において、前記複数の水素・酸素発生装置において発生する酸素ガス及び水素ガスが、それぞれ異なる圧力となるように設定し、高圧側の水素・酸素発生装置で発生する酸素ガスによって、該高圧側の水素・酸素発生装置よりも圧力の低い酸素ガス及び水素ガスを発生する水素・酸素発生装置で発生する水素ガスを昇圧することを特徴とする。
【発明の効果】
【００１７】
本発明は、上述のように、隔膜によって陽極側と陰極側とに隔離された電解セルを有し、前記電解セルに水を供給し、電気分解により前記陰極側に水素ガスを発生させるとともに陽極側に酸素ガスを発生させるように構成された少なくとも１つの水素・酸素発生装置を系内に具備し、該水素・酸素発生装置によって発生した水素ガス及び酸素ガスのうち少なくとも水素ガスが使用箇所に供給可能に構成された水素供給システムにおいて、前記水素・酸素発生装置の電解セルの陽極側に発生する酸素ガスにより、該酸素ガスより圧力の低い状態で系内に発生する水素ガスを昇圧しうるように構成されているため、廃棄されている傾向にあった酸素ガスを、水素昇圧のために有効利用を図ることができるという効果がある。
【００１８】
また、水素・酸素発生装置の電解セルの陰極側に発生した水素を水とともに供給して貯留する水素分離タンクと、該水素分離タンク内の水を前記電解セル側に戻す水戻り配管部とを設け、該水素分離タンクから水戻り配管部を介して電解セル側に返送する水中に溶存している水素ガスを減圧して抜き出し、抜き出した水素ガスを前記陽極側に発生する酸素ガスにより昇圧しうるように構成した場合には、このように返送される水に溶存している水素の量が少量であるとはいえ、従来では水素分離タンクから引き抜いて減圧状態で大気解放せざるを得ず、クリーンエネルギーとしてのニーズがありながら廃棄せざるを得なかったのであるが、上述のように酸素ガスを、減圧して抜き出した水素ガスの昇圧に用いることで、酸素ガスのみならず、水中に溶存し、従来は廃棄せざるを得なかった水素の有効利用を図ることもできるという効果がある。これにより、水素の回収率が高くなり、ひいては装置全体のエネルギー効率が高くなるという効果がある。特に、水素の圧力が高圧である場合、上記効果が著しい。
【００１９】
また、上記のような水素・酸素発生装置を系内に複数具備し、その複数の水素・酸素発生装置において発生する酸素ガス及び水素ガスがそれぞれ異なる圧力となるように設定し、高圧側の水素・酸素発生装置で発生する酸素ガスによって、該高圧側の水素・酸素発生装置よりも圧力の低い酸素ガス及び水素ガスを発生する水素・酸素発生装置で発生する水素ガスを昇圧しうるように構成した場合には、高圧、中圧、低圧等の圧力を異なる水素・酸素発生装置で、高圧側の水素・酸素発生装置で発生した酸素ガスを、それより圧力の低い中圧、低圧等の水素・酸素発生装置で発生する水素ガスを各使用箇所に供給する際にその水素ガスを昇圧することができ、或いはその中圧、低圧等の水素・酸素供給システムにおける上記のような返送用の水内に溶存し、従来は廃棄していた水素の昇圧に用いることができる。従って、圧力の異なる系の水素・酸素発生装置で発生した酸素ガスを、多段階的に水素の昇圧に利用できるという効果がある。特に、高圧側の酸素ガス圧力が高い場合、供給する水素ガス若しくは、廃棄していた水素ガスの圧力をコンプレッサー等のエネルギーを外部からかけずに昇圧できるため、エネルギー効率が高くなる。
【発明を実施するための最良の形態】
【００２０】
以下、本発明の実施形態について、図面に従って説明する。
（実施形態１）
図１は、本実施形態の水素供給システムの概略ブロック図である。本実施形態の水素供給システムは、純水の電気分解によって水素ガスと酸素ガスを発生させる水素・酸素発生装置を具備するものであり、このような水素・酸素発生装置は、電解セルを用いて構成された水電解装置１と、該水電解装置１に純水を供給するための純水タンク３と、該純水タンク３から供給される純水を貯留するとともに、貯留された純水に前記水電解装置１が浸漬されるように構成された電解タンク２と、前記水電解装置１で発生した水素を分離して貯留するための水素分離タンク４とを具備して構成されている。
【００２１】
ここで電解タンク２は、上述のように水電解装置１が浸漬されるような状態で純水を貯留するタンクであるが、純水以外の気相部分には、前記水電解装置１で発生した酸素が貯留されるように構成されている。従って本実施形態では、電解タンク２が酸素分離タンクとしての機能を有しているのである。
【００２２】
本実施形態に係る水素供給システムにおいては、水電解装置１を備えた電解タンク２（酸素分離タンク）に対して、純水を供給すべく、純水供給配管部５を介して純水タンク３が接続されている。また、純水供給配管部５には、純水タンク３に貯留された純水を電解タンク２に補給（供給）すべく、補給水ポンプ６が設けられている。純水タンク３には、純水タンク３内の純水貯留量を検知する純水タンク水位計３Ｌが設けられており、この純水タンク水位計３Ｌで得られた検知信号は、純水タンク３に純水を供給すべく設けられた純水供給部の純水供給バルブ３Ａに送られる。
【００２３】
そして、純水タンク３内の純水貯留量は、純水タンク水位計３Ｌの検知信号に基づいて、純水供給バルブ３Ａを調整することにより、適宜制御される。電解タンク２内には、電解タンク２内の純水貯留量を検知する電解タンク水位計２Ｌが設けられており、この電解タンク水位計２Ｌで得られた検知信号は、補給水ポンプに送られる。そして、電解タンク２内の純水貯留量は、電解タンク水位計２Ｌの検知信号に基づいて、補給水ポンプ６の駆動状態を適宜調整することによって制御される。
【００２４】
また、電解タンク２には、電解タンク２内の純水を循環して再利用すべく、純水循環配管部７が設けられており、この純水循環配管部７は、電解タンク２内の純水を電解タンク２外に取り出した後に、再び、水電解装置１（を構成する電解セル）の純水供給孔（後述する）に供給可能であるように、配管構成されている。そして、この純水循環配管部７には、純水を循環させるための循環水ポンプ８、純水の熱交換を行うため（純水の温度を低下させるため）の熱交換器９、純水の純度を高めるためのポリシャ（ｐｏｌｉｓｈｅｒ）１０、及び純水の濾過等を行うためのフィルタ１１等が設けられている。
【００２５】
ポリシャ１０としては、例えば、イオン交換樹脂が用いられる。さらに、この純水循環配管部７には、純水循環配管部７中の純水の水質（電気伝導度）を監視して、必要な場合（所定の電気伝導度（例えば、０．２μＳ／ｃｍ）を超えた場合等）には警報を発する水質警報手段１２、及び純水循環配管部７中の純水の温度を監視して、必要な場合（所定の温度範囲（例えば、４０〜９０℃）を超えた場合等）には警報を発する水温警報手段１３が設けられている。また、この純水循環配管部７を循環される純水は、酸素ガスを溶存した純水であるため、純水中から純水循環配管部７中に溶存酸素が排出される場合がある。このように、酸素ガスが排出されると、純水循環配管部７に設けられている循環水ポンプ８、ポリシャ１０、或いはフィルタ１１等に酸素ガスが溜まり、かかる酸素ガスが純水の循環に不具合を生じさせるおそれがある。そこで、本実施形態においては、循環水ポンプ８、ポリシャ１０、およびフィルタ１１の少なくともいずれかの箇所にガス抜きが設けられている。
【００２６】
電解タンク２内の水電解装置１にて生成された水素ガスは、若干の純水と共に、水素ガス搬送配管部１４を介して、水素分離タンク４に送られる。この水素ガス搬送配管部１４には、バルブ１８が設けられると共に、水素ガス搬送配管部１４上のバルブ１８を迂回すべく、バイパス配管部１９が設けられている。そして、このバイパス配管部１９には、逆止弁２０が設けられている。
水素分離タンク４には、水素分離タンク４内の純水貯留量を検知する水素分離タンク水位計４Ｌが設けられており、この水素分離タンク水位計４Ｌで得られた検知信号は、水素分離タンク４から純水タンク３に対して純水を戻すべく（純水を排出して再利用すべく）設けられた純水戻り配管部１５の純水排出バルブ４Ａに送られる。そして、水素分離タンク水位計４Ｌにて、水素分離タンク４内に所定量以上の純水が貯留されていると判断されれば、水素分離タンク水位計４Ｌの検知信号に基づいて、純水排出バルブ４Ａを調整することにより、適宜、水素分離タンク４内の純水貯留量が制御されることとなる。
【００２７】
また、純水戻り配管部１５内を流通する純水は、若干ではあるが、水素を溶存している。そこで、本実施形態においては、純水戻り配管部１５にガススクラバ１６を配し、このガススクラバ１６には水素放出配管部１７が接続されている。従って、本実施形態においては、水素分離タンク４から排出される純水に溶存している水素が、適当に除去されることとなる。この水素放出配管部１７は、バルブ４１を介して圧力交換器２９に接続されている。
【００２８】
水素分離タンク４に貯留されている水素ガスは、水素ガスのユースポイント（図示せず）に対して、水素ガス供給配管部２１を介して搬送供給される。そして、この水素ガス供給配管部２１には、水素ガスの供給量を気液分離タンクの圧力に応じて調整する水素ガス供給バルブ２２と、水素ガスを除湿するための水素ガス除湿手段２３と、水素ガスの流量を定格流量に維持するための水素ガス流量制御手段２４とが設けられている。この水素ガス流量制御手段２４は、水素ガス供給バルブ２２を介して水素ガス供給配管部２１を流通している水素ガスの流量を検知する流量検知手段２４Ａと、この流量検知手段２４Ａで得られた検知信号に基づいて制御可能な定格流量制御バルブ２４Ｂとを用いて構成されている。
【００２９】
ここで、水素ガス除湿手段２３は、例えば、中空糸膜等を用いて構成されている。そして、この水素ガス除湿手段２３においては、中空糸膜の内部に水素ガスを流通させ、中空糸膜の外部に乾燥空気を流通させることによって、水素ガスの除湿を行っている。尚、図１には特に示していないが、より高純度（例えば６Ｎ（９９．９９９９）以上）の水素ガスを得ようとする場合には、水素ガス除湿手段２３の後流側、または水素ガス除湿手段の換わりに、ゼオライト、活性アルミナ等のモレキュラシーブを用いて構成された精製器を設ける構成が好ましい。本実施形態は、中空糸膜等を用いた水素ガス除湿手段２３（或いは精製器）によって水素ガスの除湿を行う構成であるので、従来において必要であったパラジウム精製器等を用いる必要がなくなる。また、必要に応じて上記精製器を組み合わせて使用してもよい。
【００３０】
また、水素ガス供給バルブ２２は、後述すべく、水素分離タンク４の圧力に基づいて制御される。このために、水素分離タンク４には、第一の圧力検知手段２５が設けられている。さらに、水素分離タンク４には、第一のリリーフ弁２６を有する第一のリリーフ配管部２７が設けられている。そして、この第一のリリーフ弁２６は、後述すべく、電解タンク２の圧力と、水素分離タンク４の圧力とに基づいて制御されるように構成されている。      
【００３１】
また、電解タンク２内の水電解装置１にて生成された酸素ガスは、電解タンク２の上部に貯留され、酸素ガスのユースポイント（図示せず）に供給する場合には、酸素ガス供給配管部３１を介して搬送供給される。そして、この酸素ガス供給配管部３１には、酸素ガスの供給量を調整する酸素ガス供給バルブ３２と、酸素ガスを除湿するための酸素ガス除湿手段３３と、酸素ガス供給配管部３１を流通している酸素ガス中の水素濃度を検出するための水素ガス検出手段３４とが設けられている。ここで、酸素ガス供給バルブ３２は、後述すべく、電解タンク２の圧力と、水素分離タンク４の圧力とに基づいて制御される。また、この酸素ガス供給バルブ３２は、必要に応じて、電解タンク２の圧力（酸素ガスの圧力）のみに基づいて制御される場合もある。このために、電解タンク２には、第二の圧力検知手段３５が設けられている。また、酸素ガス除湿手段３３は、例えば、中空糸膜等を用いて構成されている。そして、この酸素ガス除湿手段３３においては、中空糸膜の内部に酸素ガスを流通させ、中空糸膜の外部に乾燥空気を流通させることによって、酸素ガスの除湿を行っている。また、図示しないが、水素ガスと同様に流量制御手段を設けた構成としてもよい。
【００３２】
さらに、電解タンク２には、第二のリリーフ弁３６を有する酸素放出配管部３７が設けられている。そして、この第二のリリーフ弁３６は、後述すべく、電解タンク２の圧力と、水素分離タンク４の圧力とに基づいて制御されるように構成されている。そして酸素放出配管部３７は、バルブ４２を介して圧力交換器２９に接続されている。尚、酸素放出配管部３７には、図示しないが、大気開放の酸素放出用配管及び制御バルブが別途設けられており、圧力調整や異常時に放出される酸素は圧力交換器２９へ供給せずに、そのまま大気放出できる構成となっている。
【００３３】
また、本実施形態においては、第一の圧力検知手段２５の検知値と第二の圧力検知手段３５の検知値とを比較して、所定の信号を種々のバルブ２６，３６に送り得る差圧検知手段４５が設けられている。さらに、本実施形態においては、第一の圧力検知手段２５からの圧力検知信号を受けて、水電解装置１に対して適切な電流を供給する電流値制御手段２８が設けられている。なお、差圧検知手段４５で得られた信号は、必要に応じて、バルブ２２，３２の制御を行う際にも用いられる。
【００３４】
上述のように、本実施形態の水素供給システムは、水素・酸素発生装置を具備し、その水素・酸素発生装置は上述のような水電解装置１を具備して構成されているが、その水電解装置１に純水と所定の電流とを供給することによって水素及び酸素が発生することとなる。
【００３５】
図２は、水電解装置を構成する電解セルの一例の概略断面図である。図２において、５２は電極板であり、５３は固体電解質膜である。５４は多孔質給電体であり、５５はガスケット、５６は保護シートである。また５７は水素ガス取り出し経路、５７ａは水素ガス取り出し通路、５８は酸素ガス取り出し経路、５８ａは酸素ガス取り出し通路である。５９、５９は端板である。この図では純水供給経路は示されていないが、酸素ガス取り出し経路５８と同様の構成によって形成されている。上記のような各部品類をボルト６０によって絶縁板６１を介して両端板５９、５９間で挟持するように締結することによって、電解セル（水電解装置１）が形成されているのである。尚、多孔質給電体５４の部分が陽極部（酸素発生室Ａ）及び陰極部（水素発生室Ｃ）となる。
【００３６】
固体電解質膜５３としては、固体高分子電解質を膜状に形成したものを両面に貴金属、特に白金からなる多孔質層を化学的に無電解メッキによって形成した固体電解質膜を使用するのが好ましい。固体高分子電解質としては、カチオン交換膜（フッ素樹脂系スルフォン酸カチオン交換膜であり、たとえばデュポン社製「ナフィオン１１７」が好ましい。
【００３７】
本実施形態においては、上述のように、図２に示す電解セルにて構成された水電解装置１を用いて水素・酸素発生装置が形成されている。従って、図１に示すべく、電解タンク２内に設けられた水電解装置１においては、電解タンク２内の純水が、純水供給経路を介して酸素発生室Ａに供給される。純水は、Ｏリング等によって、水素発生室Ｃへの流入が阻止される。
【００３８】
酸素発生室Ａで発生した酸素ガスは、酸素ガス取り出し通路５８ａ及び酸素ガス取り出し経路５８を介して電解タンク２中に放出され、電解タンク２中から酸素ガス供給配管部３１等を介して酸素ガス使用箇所等に供給される。水電解装置１中において、酸素ガスは、Ｏリング等によって、水素発生室Ｃへの流入が阻止される。
【００３９】
また、水素発生室で発生した水素ガスは、水電解装置１（電解セル）内の水素ガス取り出し通路５７ａ、水素ガス取り出し経路５７、及び水素ガス搬送配管部１４を介して、水素分離タンク４に搬送される。水素ガスは、Ｏリング等によって、酸素発生室Ａへの流入が阻止される。
【００４０】
本実施形態に係る水素供給システムは、上述した図１及び図２に示すように構成されており、かかるシステムにおいては、適切に純水供給制御、電流値制御等が行われている。      
【００４１】
図３は、本実施形態の水素供給システムを運転する際のフローチャートを示したものである。以下、図３等の必要な図面を用いて、制御方法を具体的に説明する。図３に示すように、本実施形態に係る水素供給システムは、まず、ステップ６０１において、電解タンク２に対する純水の供給が行われる。具体的には、補給水ポンプ６を駆動させて、純水タンク３から電解タンク２に対して純水を供給する。
【００４２】
次に、ステップ６０２においては、電解タンク２内の純水の貯留量（水位）が、電解タンク水位計２Ｌを用いて検知される。
【００４３】
次に、ステップ６０３においては、ステップ６０２における水位検知信号に基づいて、電解タンク２内の水位が所定量であるか否かの判断が行われる。そして、ここで、水位が所定量に達している場合には（ステップ６０３にて「Ｙｅｓ」と判断された場合には）、次いでステップ６０４の処理が行われる。また、水位が所定量に達していない場合には（ステップ６０３にて「Ｎｏ」と判断された場合には）、補給水ポンプ６を駆動させた状態で、再度ステップ６０２以降の処理が行われる。
【００４４】
次に、ステップ６０４においては、ステップ６０３の判断に基づいて、純水タンク３から電解タンク２に対する給水が停止される。すなわち、補給水ポンプ６を停止させる。次に、ステップ６０５においては、電解セル１へ供給される循環水量の検知が行われる。すなわち、このステップ６０５においては、電解セル１に対する通電前に、循環水ポンプ８を駆動させ、電解セル１に対して純水を供給しているので、その循環水量を検知する。
【００４５】
次に、ステップ６０６においては、ステップ６０５における循環水量検知信号に基づいて、電解セル１に対して、所定水量が供給されているか否かの判断が行われる。そして、ここで、循環水量が所定量に達している場合には（ステップ６０６にて「Ｙｅｓ」と判断された場合には）、次いでステップ６０７の処理が行われる。また、循環水量が所定量に達していない場合には（ステップ６０６にて「Ｎｏ」と判断された場合には）、ステップ６０７に進むことなく、再度ステップ６０５以降の処理が行われる（すなわち、循環水ポンプ８の駆動および循環水量の検知等が継続して行われる）。
【００４６】
次に、ステップ６０７においては、水電解装置１に対する通電が開始される。すなわち、本実施形態の水素供給システムにおいては、水電解装置（電解セル）１内に所定量の純水が循環された状態になってから、はじめて、水電解装置１に対する電流の供給が開始される。このように、循環水流量を確認した後に通電を開始するのは、水電解装置１に対して純水が十分に補給されていない状態で通電を行うと、水電解装置１を構成する固体電解質膜５３が破損する可能性があるからである。
【００４７】
次に、ステップ６０８においては、図１に示された水素供給システムの水素・酸素発生装置による連続した水素・酸素発生工程が行われる。ここで、本実施形態の水素供給システムは、本来的に水素の供給を目的としているが、本実施形態では、既に説明したように酸素も供給しうるように構成されているので、以下のステップにおいては、本実施形態の水素供給システムにおける水素・酸素発生工程を、便宜上、水素・酸素供給工程として説明する。
【００４８】
次に、ステップ６０９においては、水素・酸素供給工程を終了するか否かの判断が行われる。そして、ここで、水素・酸素供給工程を終了すると判断された場合には（ステップ６０９にて「Ｙｅｓ」と判断された場合には）、次いでステップ６１０の処理が行われる。また、水素・酸素供給工程を終了しないと判断された場合には（ステップ６０９にて「Ｎｏ」と判断された場合には）、再度、ステップ６０８以降の処理が行われる。
【００４９】
次に、ステップ６１０においては、ステップ６０９における水素・酸素供給工程の終了の判断に基づいて、水電解装置１に対する通電を終了させる。また、この図３のフローチャートには特に示していないが、ステップ６１０においては、水電解装置１が純水に十分満たされた状態で、通電を終了させる。具体的には、水電解装置１に対する通電を停止してから、数秒（３０秒程度）後に循環水ポンプ８を停止している。このように通電停止後に所定時間循環ポンプを運転することにより、電解装置内に酸素ガスが滞留することを防止することができ、その結果、固体電解質膜５３に対して余計な負荷をかけることがない。また、図３におけるステップ６０１から６０４までについてはステップ６０５以降の動作と平行に行なう構成としてもよい。
【００５０】
以上、図３におけるステップ６０１からステップ６１０までの工程に基づいて、本実施形態に係る水素・酸素供給システムの運転が制御される。しかしながら、上述した図３のフローチャートにおいては、水素・酸素供給工程の説明が不充分であるため、次に、ステップ６０８で行われる水素・酸素供給工程を具体的に説明する。
【００５１】
ステップ６０８にて行われる水素・酸素供給工程の中には、電解タンク２に対する純水供給制御、および水電解装置１に対する電流値制御等があげられる。以下、詳細に説明する。
【００５２】
図４は、本実施形態の純水供給制御の一態様のフローチャートを示したものである。図４に示すように、本実施形態においては、先ずステップ７０１において、電解タンク２内の純水貯水量の検知が行われる。ここでは、電解タンク水位計２Ｌを用いて、電解タンク２内の純水の貯留量（水位）が検知される。
【００５３】
次に、ステップ７０２においては、ステップ７０１における水位検知信号に基づいて、電解タンク２内の水位が所定値以下であるか否かの判断が行われる。そして、ここで、水位が所定値以下であると判断された場合には（ステップ７０２にて「Ｙｅｓ」と判断された場合には）、次いでステップ７０３の処理が行われる。また、水位が所定値以下でない場合には（ステップ７０２にて「Ｎｏ」と判断された場合には）、再度、ステップ７０１以降の処理が行われる。
【００５４】
次に、ステップ７０３においては、ステップ７０２の判断に基づいて、補給水ポンプ６の駆動が開始される。すなわち、補給水ポンプ６を駆動させて、純水供給配管部を介して、純水タンク３から電解タンク２に対して純水を補給する。次に、ステップ７０４においては、電解タンク２内の純水貯水量の検知が行われる。ここでは、ステップ７０１と同様に、電解タンク水位計２Ｌを用いて、電解タンク２内の純水の貯留量（水位）が検知される。
【００５５】
次に、ステップ７０５においては、ステップ７０４における水位検知信号に基づいて、電解タンク２内の水位が所定範囲内にあるか否かの判断が行われる。そして、ここで、水位が所定範囲内にあると判断された場合には（ステップ７０５にて「Ｙｅｓ」と判断された場合には）、次いでステップ７０６の処理が行われる。また、水位が所定範囲内にないと判断された場合には（ステップ７０５にて「Ｎｏ」と判断された場合には）、補給水ポンプ６を駆動させた状態で、再度、ステップ７０４以降の処理が行われる。
【００５６】
次に、ステップ７０６においては、ステップ７０５の判断に基づいて、純水タンク３から電解タンク２に対する給水が停止される。すなわち、補給水ポンプ６を停止させる。そして、このステップ７０６の後は、再度、ステップ７０１以降の処理が行われる。
【００５７】
以上のステップ７０１からステップ７０６の工程が、本実施形態の水素供給システムにおける、基本的な純水供給（補給）制御である。なお、この図４では特に示さなかったが、本実施形態においては、電解タンク２内の純水が、電解タンク２に対して閉回路として設けられた純水循環配管部７を介して、循環されつつ、水電解装置１に供給されるべく構成されている。
【００５８】
具体的には、本実施形態においては、純水循環配管部７に設けられた循環水ポンプ８によって、電解タンク２内の純水が循環させられ、純水循環配管部７に設けられた熱交換器９、ポリシャ１０、およびフィルタ１１を介して、水電解装置１に純水が供給される。なお、この純水循環配管部７には、水質警報手段１２、水温警報手段１３、および循環水量警報手段も設けられている。
【００５９】
本実施形態においては、このように種々の要素を設けた閉回路たる純水循環配管部７を介して、水電解装置１に純水が供給されるので、適切な性状を有する純水の供給が可能となる。すなわち、熱交換器９を設けたことにより、水電解装置１の発熱によって温度が上昇した純水の熱交換を行うことが可能となるので、効率よく水電解装置１を駆動させることができる。また、ポリシャ１０を設けたことにより、純水の純度を高めた状態で、水電解装置１に対して純水を供給可能となる。また、フィルタ１１を設けたことにより、純水中に含まれた不純物を除去して、水電解装置１に対して純水を供給することができる。さらに、本実施形態においては、水質警報手段１２および水温警報手段１３が設けられているので、上述した熱交換器９、ポリシャ１０、およびフィルタ１１に何等かの不具合が生じた（あるいは生じそうであった）としても、その旨を検知して、不適切な（純度が低いあるいは不純物が多い等の）純水が供給される前に、熱交換器９、ポリシャ１０、あるいはフィルタ１１の不具合に対処可能であって、必要に応じて容易に交換等を行うことができる。
【００６０】
また、本実施形態においては、循環水量警報手段が設けられているので、循環水量が処理量（所定の処理量）を下回って、電解セルが損傷するのを防止している。つまり、電解セルへの供給水量が不足すると、電解セル内での水の流れが不均一となり、局部的な発熱によって固体電解質膜が損傷するおそれがあるが、本実施形態は、循環水量警報手段を設けることによって、循環水量の低下を事前に察知して、係る問題を効果的に解決することができる。したがって、本実施形態によれば、継続的に、適切な性状を有する純水を水電解装置１に対して供給することができる。また、本実施形態においては、先に述べたように、純水循環配管部７の適切な箇所にガス抜きを設けているので、純水循環配管部７中の酸素ガスが純水の循環に不具合を生じさせないように、必要に応じて、適宜、ガス抜きを行うことができる。
【００６１】
このように、本実施形態においては、純水の水質や温度を制御して、適切な性状を有する純水を水電解装置１に供給しているので、固体電解質膜５３の寿命をのばすことが可能となると共に、水電解装置１における電解効率をも向上させることができる。
【００６２】
また、本実施形態においては、水素分離タンク４にて水素ガスと分離された純水についても、純水戻り配管部１５（および純水タンク３等）を介して、再利用可能（水電解装置１に対して供給可能）であるべく構成されている。なお、本実施形態においては、上述したように、純水タンク３と電解タンク２とが純水供給配管部５にて接続され、電解タンク２中の水電解装置１と水素分離タンク４とが水素ガス搬送配管部１４にて接続され、水素分離タンク４と純水タンク３とが純水戻り配管部１５にて接続されている。すなわち、純水タンク３、電解タンク２、および水素分離タンク４は、純水供給配管部５、水素ガス搬送配管部１４、および純水戻り配管部１５によって、閉じた回路として構成されている。      
【００６３】
水素分離タンク４から純水戻り配管部１５を用いて搬送される純水には、水素が溶存されており、もし、この閉回路中の循環を連続して繰り返すとすれば、その溶存率は高まる一方となり、システム構成上好ましくない。つまり、水素分離タンク４から排出される純水中には、水素発生圧力下での溶存水素が含まれており、これをそのまま純水タンク（補給水タンク）３に戻した場合、圧力が大気圧に開放されるため、減圧に伴い、差圧分の溶存水素がガス化して放出される。そうすると、純水タンク３内で水素と空気とが混合し、徐々に水素濃度が上昇して、種々の不具合を生ずる可能性がある。そこで、本実施形態に係る水素・酸素供給システムは、係る純水戻り配管部１５の所定箇所にガススクラバ１６を配して、上述した不具合を解消すべく構成されている。
【００６４】
このように、溶存水素除去のために、ガススクラバ１６には、前記水素分離タンク４から純水が供給され、ガススクラバ１６で減圧され、純水内に溶解していた水素ガスが放出される。放出された水素ガスは水素放出配管部１７を介して圧力交換器２９に供給される。そして、この圧力交換器２９には、前記電解タンク２から放出された酸素ガスも供給される。
【００６５】
本実施形態の水素供給システムの水素・酸素発生装置においては、水素分離タンク４内の水素ガスの圧力が、酸素分離タンクである電解タンク２内の圧力よりもわずかに高くなるように設定されているが、圧力交換器２９に供給される水素ガスは、ガススクラバ１６内で減圧されているので、水素放出配管部１７を介して圧力交換器２９に供給される水素ガスの圧力は、酸素放出配管部３７を介して圧力交換器２９に供給される酸素ガスの圧力よりも低くなっている。
【００６６】
従って、圧力交換器２９に供給される水素ガスと酸素ガスとは、相互に圧力交換されることになる。つまり、高圧側の酸素ガスによって、低圧側の水素ガスが昇圧されることとなるのである。この結果、従来においてガススクラバ１６内で減圧されて大気解放により廃棄されていた純水中に溶存していた水素ガスは、従来において酸素放出配管部３７から放出されて廃棄されていた酸素ガスによって昇圧されるので、前述のように廃棄していた水素ガスを、各水素ガスのユースポイントにおいて利用することができ、また酸素ガスは結果的に水素ガスの再利用のために活用されることとなる。
【００６７】
ここで、圧力交換器２９としては、たとえは図５のような増圧弁のようなものが用いられる。すなわち、この圧力交換器２９は、ケーシング４３内にシリンダ４４が往復動可能に設けられた構成からなるもので、そのシリンダ４４によって水素用隔室４６と酸素用隔室４７とに区画されている。そして、水素側の流入用バルブ４８ａを開、流出用バルブ４８ｂを閉の状態とし、酸素側の流入用バルブ４９ａを閉、流出用バルブ４９ｂを開の状態として、水素ガスをケーシング４３の水素用隔室４６内に供給する。これによりシリンダ４４は図５の矢印イ方向に移動する。
【００６８】
次に、図６に示すように水素ガスが水素用隔室４６内にある程度貯留された状態となったとき、水素側の流入用バルブ４８ａと流出用バルブ４８ｂの双方を閉の状態とし、酸素側の流入用バルブ４９ａを開、流出用バルブ４９ｂを閉の状態として、酸素ガスをケーシング４３の酸素用隔室４７内に供給する。このとき、水素用隔室４６内は閉塞状態とされているが、水素用隔室４６内の水素ガスの圧力よりも酸素用隔室４７内に供給される酸素ガスの圧力の方が高いため、シリンダ４４は図６の矢印ロ方向に移動する。シリンダ４４が移動するにつれて酸素用隔室４７の容積が増加するとともに水素用隔室４６の容積が減少するので、酸素ガスの圧力が徐々に低くなるとともに水素ガスの圧力が徐々に高くなり、最終的には酸素用隔室４７内の圧力と水素用隔室４６内の圧力が平衡状態となる（図７）。
【００６９】
その後、水素側の流出用バルブ４８ｂを開の状態とすると、水素用隔室４６が解放状態となるので、図８に示すようにシリンダ４４が矢印ハ方向に移動して、水素ガスが排出されることとなる。排出された水素ガスは、上記のような平衡状態の圧力を維持したまま、各ユースポイントに供給されることとなるのである。尚、上記図５の状態で、水素ガスを水素用隔室４６内に供給してシリンダ４４を移動させる代わりに、酸素用隔室４７内を吸引してシリンダ４４を同方向に移動させることも可能である。尚、圧力変換器としては、本実施形態のものに限定されず、ガスの圧力を利用して、そのガス圧力よりも低圧のガスを昇圧させうるものであればよい。
【００７０】
上述のように、本実施形態においては、従来においてともに廃棄されていた溶存水素ガスと酸素ガスとを再利用することができるため、水素・酸素供給装置において、やむを得ず生じていたエネルギーの損失を解消することができるに至ったのである。
【００７１】
次に、水電解装置１に対する電流値制御について説明する。図９は、本実施形態に係る電流値制御の一態様のフローチャートを示したものである。
【００７２】
図９に示すように、本実施形態においては、先ずステップ８０１において、水素分離タンク４に設けられた第一の圧力検知手段２５を用いて、水素ガスの圧力を検知する。ここで、水素分離タンク４内の水素ガスの圧力は、水素ガス発生量（水電解装置１で発生し、水素ガス搬送配管部１４を介して水素分離タンク４に搬送される水素ガス量）と、水素ガス供給量（水素ガス供給配管部２１を介して、水素分離タンク４から水素ガスのユースポイントに供給される水素ガス量）とのバランスによって変動するものである。
【００７３】
次に、ステップ８０２においては、ステップ８０１における圧力検知信号に基づいて、水素分離タンク４内の水素ガス圧力が所定値以下であるか否かの判断が行われる。水素ガス圧力が所定値以下になると、必要とされる水素ガスの供給が困難となるからである。そして、ここで、水素ガス圧力が所定値以下であると判断された場合には（ステップ８０２にて「Ｙｅｓ」と判断された場合には）、次いでステップ８０３の処理が行われる。また、水素ガス圧力が所定値以下ではないと判断された場合には（ステップ８０２にて「Ｎｏ」と判断された場合には）、再度、ステップ８０１以降の処理が行われる。
【００７４】
次に、ステップ８０３においては、ステップ８０２の判断に基づいて、第一の圧力検知手段２５から電流値制御手段２８に対して圧力検知信号を送り、この圧力検知信号に基づいて、電流値制御手段２８から水電解装置１に対して適切な値の電流が供給される。ここで、供給する電流は、必要とする供給水素ガス量（あるいは水素ガス圧等）、および水素ガス圧変動率（単位時間当たりの水素ガス圧変動量）等によって、適宜、適切な値が選択されて水電解装置１に供給される。
【００７５】
次に、ステップ８０４においては、水素分離タンク４に設けられた第一の圧力検知手段２５を用いて、水素ガスの圧力を検知する。
【００７６】
次に、ステップ８０５においては、ステップ８０４における圧力検知信号に基づいて、水素分離タンク４内の水素ガス圧力が所定範囲内にあるか否かの判断が行われる。そして、ここで、水素ガス圧力が所定範囲内にあると判断された場合には（ステップ８０５にて「Ｙｅｓ」と判断された場合には）、次いでステップ８０６の処理が行われる。また、水素ガス圧力が所定範囲内にないと判断された場合には（ステップ８０５にて「Ｎｏ」と判断された場合には）、再度、ステップ８０３以降の処理が行われる。
【００７７】
次に、ステップ８０６においては、ステップ８０５の判断に基づいて、水電解装置１に対する電流値制御手段２８からの電流の供給が停止される。そして、このステップ８０６の後は、再度、ステップ８０１以降の処理が行われる。
【００７８】
本実施形態においては、上述したように、ステップ８０１からステップ８０６の工程に示すべく、水電解装置１に対して、電流が供給される。すなわち、本実施形態においては、水素ガス発生量と水素ガス供給量とのバランスを第一の圧力検知手段２５を用いて検知し、この検知信号を電流値制御手段２８に送って、検知信号に応じた（圧力変動に応じた）電流値が水電解装置１に供給されている。なお、本実施形態においては、電流値制御手段２８としては、整流器等が用いられる。すなわち、本実施形態においては、整流器等を用いて、整流器ＰＩＤ制御が行われる。具体的には、この電流値制御手段２８は、第一の圧力検知手段２５にて得られる圧力検知信号が送られるシーケンサまたは調節計と、整流器等とを用いて構成されており、水素の現在の圧力値（圧力検知信号）をシーケンサまたは調節計に送ってＰＩＤ制御し、ここで得られた指令値を整流器に送り、この指令値に基づいた電流を整流器から電解セルに供給して、電解セル（水電解装置）の制御が行われている。
【００７９】
本実施形態の水素供給システムにおいては、閉回路たる純水循環配管部７を介して、水電解装置１に対して純水が供給されるため、水電解装置１および電解タンク２は、比較的高い密閉性を維持することができる。つまり、水電解装置１を駆動させなくとも、所定の水素ガス圧力を得ることができる。よって、水素ガスの圧力に特に変動がない場合（水素ガスが使用されていない場合）には、水電解装置１に対する電流の供給を停止することも可能である。従って、本実施形態の水素供給システムにおいては、適切な圧力の水素等の供給を行いつつ、水電解装置１を０〜１００％の範囲で駆動させることが可能となる。
本実施形態ではＰＩＤ制御により整流板の制御を行なうこととしたが、本実施形態に限定されず、ＯＮ／ＯＦＦ運転による制御を行なっても良い。
【００８０】
また、本実施形態の水素供給システムにおいては、第一の圧力検知手段２５によって水素分離タンク４内の水素ガスの圧力を検知し、第二の圧力検知手段３５によって電解タンク２内の酸素ガスの圧力を検知して、それぞれの検知信号が差圧検知手段４５に送られる。そして、この差圧検知手段４５で得られる水素ガス圧力と酸素ガス圧力との差圧信号に基づいて、水素ガス供給バルブ２２、第一のリリーフ弁２６、酸素ガス供給バルブ３２、および第二のリリーフ弁３６が、適宜調整される。本実施形態の水素供給システムにおいては、固体電解質膜を透過して酸素ガスが水素ガスに混入することを防止し、得られる水素ガスの純度を高くしうる点において水素ガス圧力を酸素ガス圧力よりも若干高く設定している。すなわち、本実施形態においては上述した差圧信号に基づいて、水電解装置１内にて、酸素ガス圧力よりも水素ガス圧力の方が若干高くなるよう、各バルブ２６、３６の調整が行われている。
【００８１】
尚、要すれば、逆に酸素ガスの圧力を水素ガスの圧力に比べて若干高いものとすることもできる。このように、水素ガスと酸素ガスとの間に設ける若干の圧力差としては、固体電解質膜に加わる負荷を抑制しうる点から通常１ＭＰａ以下とされ、好ましくは０．０５〜０．４ＭＰａ、さらに好ましくは０．０５〜０．１ＭＰａである。
【００８２】
さらに、本実施形態においては、上述した各リリーフ弁２６，３６が、インターロックとしても機能することとなる。すなわち、差圧検知手段４５で得られる差圧信号に何等かの異常が生じた場合には、固体電解質膜５３等を保護するために、各リリーフ弁２６，３６を適切に調整して、水素ガスおよび酸素ガスの少なくとも一方を各リリーフ配管部２７、酸素放出配管部３７を介して放出する。
【００８３】
特に、本実施形態では、水素ガスがユースポイントに供給されて使用されることから、主として酸素ガス側のリリーフ配管部である酸素放出配管部３７から酸素ガスが放出される。すなわち、水素分離タンク４内の水素ガスが各ユースポイントに供給されることで、水素分離タンク４内の圧力が下がり、酸素の分離タンクである電解タンク２内との圧力のバランスの均衡が崩れるが、酸素放出配管部３７から酸素ガスが放出されることで、圧力のバランスの均衡を維持することができるのである。
【００８４】
しかも、このような圧力のバランスの均衡を維持するために酸素ガス放出部３７から放出され、本来であれば廃棄されていた酸素ガスを、上記のような水素の昇圧、再利用のために用いることができるので、エネルギー損失防止の観点からもきわめて有用である。
【００８５】
尚、リリーフ弁２６，３６を用いたインターロックは、上述した構成に限定されるものではない。したがって、例えば、各リリーフ弁２６，３６としては、ばね逃がし弁等を用いることが可能であり、各リリーフ配管部２７，３７内の圧力が、所定の圧力を超えた場合には、各リリーフ弁２６，３６が適切に開放されるべく構成されていてもよい。
【００８６】
また、本実施形態の水素供給システムにおいては、電解タンク２から酸素使用箇所（図示省略）に対して酸素ガスを供給するために設けられた酸素ガス供給配管部３１に、水素ガス検出手段３４が設けられている。この水素ガス検出手段３４は、酸素ガス中の水素濃度を検出すべく、熱伝導率式、密度式等のオンラインガス分析計等を用いて構成されている。本実施形態によれば、この酸素ガス供給配管部３１において酸素ガス中の水素ガス濃度を検出することによって、固体電解質膜５３におけるピンホールの発生等を検知することができる。すなわち、本実施形態によれば、上述したように、水電解装置１内の圧力は、酸素ガス発生側（酸素発生室側）よりも水素ガス発生側（水素発生室側）の方が、高くなるように構成されているため、固体電解質膜５３にピンホール等が発生すれば、水素発生室から酸素発生室に対して水素ガスが混入し、水素ガスが混入した酸素ガスが、酸素ガス供給配管部３１を介して供給されることとなる。したがって、本実施形態によれば、図１に示すべく、酸素ガス供給配管部３１に水素ガス検出手段３４を設けて、酸素ガス中の水素ガス濃度を監視することによって、固体電解質膜５３の破損（ピンホール）等を早期に発見して、システムの保守管理を効果的に行うことが可能となる。
【００８７】
この水素ガス検出手段の設置場所は本実施例の部位に特定されず、たとえば電解タンク２に濃度測定用のガス取り出し配管を設け、その配管に水素ガス検出手段を設置してもよい。
【００８８】
さらに、本実施形態の水素供給システムにおいては、水素分離タンク４から水素のユースポイント（図示せず）に対して水素ガスを供給するために設けられた水素ガス供給配管部２１に、水素ガス流量制御手段２４が設けられている。この水素ガス流量制御手段２４は、上述のように、流量検知手段２４Ａと定格流量制御バルブ２４Ｂとを用いて構成されている。
【００８９】
そして、この流量検知手段２４Ａは、水素ガス供給配管部２１中を流れる水素ガスの流量を常時監視して、この水素ガスの流量に応じて、定格流量制御バルブ２４Ｂに対し適切な制御信号を送信すべく構成されている。すなわち、本実施形態によれば、水素ガス供給配管部２１の後流側にて（すなわち、水素ガスのユースポイントにて）大量の水素ガスが使用されたとしても、水素ガス供給配管部２１中を流れる水素ガスが定格流量を超える前に、流量検知手段２４Ａから定格流量制御バルブ２４Ｂに対して制御信号が送られ、定格流量以上の水素ガスが流れないように、定格流量制御バルブ２４Ｂが調整される。
【００９０】
従って、本実施形態によれば、水素ガス供給配管部２１の後流側における水素ガス使用量がどのように変動したとしても、水素ガス供給配管部２１にて定格流量以上の水素ガスが流れることはないので、水素ガスの品質を一定に維持することができる。このような水素ガス流量制御手段２４を有する構成によれば、ユーザがバッファタンク等を用いる場合における不具合を効果的に防止可能である。具体的には、バッファタンクを用いるケースでは、水素の使用量が平常時とピーク時とで大きく変動する場合がある。
【００９１】
このような場合、ピーク時の使用量に合わせて水素・酸素供給システムを構成すると、大容量のものとなり、稼働率が低下し、経済性も悪い。このため、バッファタンクの圧力に幅をもたせて使用している（例えば、０．９ＭＰａから０．４ＭＰａの幅で使用している）。この間は、水電解装置１の定格発生量以上のガスを使用することになる。このような構成において、水電解装置１を定格運転するためには、本実施形態に示すべく、定格以上のガスが流れないように、流量制御を行う必要がある。これにより、水電解装置１が安定して稼動を続けると共に、後段の除湿器入口のガス性状（圧力等）も一定に制御でき、供給ガス品質を一定に維持することができる。また、このような構成であれば、水電解装置（電解セル）１の性能以上の使用をも防止することが可能となるので、システムの長寿命化を図ることもできる。
【００９２】
また、本実施形態の水素供給システムにおいては、水電解装置１と水素分離タンク４との間に設けられた水素ガス搬送配管部１４には、バルブ１８が設けられており、さらに、水素ガス搬送配管部１４上のバルブ１８を迂回すべく、バイパス配管部１９が設けられている。そして、このバイパス配管部１９には、逆止弁２０が設けられている。ここで、逆止弁２０は、所定値以上の圧力が作用しない場合には開放せず、水電解装置１から水素分離タンク４に対して水素ガスが流通しないように構成されている。すなわち、本実施形態は、所定値以上（例えば、０．１ＭＰａ以上）の圧力が作用したときに、はじめて逆止弁２０が開放されて、バイパス配管部１９を介して、水電解装置１から水素分離タンク４に対して水素ガスが流通すべく構成されている。
【００９３】
従って、本実施形態の水素供給システムによれば、バイパス配管部１９に所定値以上の圧力が作用した場合には、逆止弁２０を介して、水素ガスの搬送が行われることとなる。よって、逆止弁２０が開いて、水素ガス搬送配管部１４、バイパス配管部１９、および逆止弁２０を介して、水素ガスを適切に流通させることが可能となるので、水電解装置１を構成する固体電解質膜５３の破損等を効果的に防止することができる。また、通常時は閉じているため、運転停止時に水素ガスが気液分離タンクから水電解装置へ逆流することを防止することができる。また、バルブ１８は通常閉にし、装置メンテナンスや装置内部を窒素ガス等により置換する際に開にすることで、取り扱いを容易にし、上記同様に固体電解質膜の破損等を効果的に防止することが可能となる。
【００９４】
さらに、本実施形態の水素供給システムは、種々の検知手段等を用いて、ガス圧力および各タンク２，４内の水位をそれぞれ所定値となるべく制御可能に構成されている。具体的には、電解タンク２は、図１に示す構成においては、第二の圧力制御手段３５、差圧検知手段４５、および第二のリリーフ弁３６等を用いてタンク内圧力が所定値となるべく制御されている。また、電解タンク水位計２Ｌおよび補給水ポンプ６を用いてタンク内水位が所定値となるべく制御されている。
【００９５】
そして、水素分離タンク４は、第一の圧力制御手段２５、差圧検知手段４５、および第一のリリーフ弁２６等を用いてタンク内圧力が所定値となるべく制御されており、また、水素分離タンク水位計４Ｌおよび純水排出バルブ４Ａを用いてタンク内水位が所定値となるべく制御されている。さらに、水電解装置１内における酸素発生室Ａと水素発生室Ｃとの圧力についても、先に述べたように、適切に所定値となるべく制御されている。本実施形態においては、以上のように、各ガス圧力および各タンク２，４内の水位をそれぞれ所定値となるべく制御可能である。すなわち、本実施形態に係る水素・酸素供給システムは、一定の条件に基づいて、運転可能に構成されている。
【００９６】
従って、本実施形態に係る水素・酸素供給システムは、基本的に、一定の条件に基づいて運転させることが可能であるため、高品質のガス（特に高純度の水素ガス）を得ることができる。また、一定の条件にて運転可能であるため、システムを構成している各要素に対して、ストレスが生じにくくなり、各構成要素は勿論のこと、システム全体としても、寿命を延ばすことが可能となる。なお、上述したように、本実施形態においては、ガス圧制御のみではなく、水位制御も合わせて行っているため、ガス圧制御のみを行う場合よりも、容易にガス圧制御を行うことが可能となる。
【００９７】
（実施形態２）
本実施形態では、図１０に示すように、分離される酸素ガス及び水素ガスの圧力が異なる３つの水素・酸素発生装置を備えた水素供給システムの実施形態であり、この点で１つの水素・酸素発生装置のみを用いた実施形態１の場合と相違している。
【００９８】
本実施形態においては、図１０に示すように、高圧側（図１０における上段側）の水素・酸素供給装置４０ａにおける電解タンク２に接続された酸素放出配管部３７と、中圧側（図１０における中段側）の水素・酸素供給装置４０ｂにおける溶存水素ガスのためのガススクラバ１６からの水素放出配管部１７とが、１つの圧力交換器２９ａに接続され、さらに中圧側の水素・酸素発生装置４０ｂにおける電解タンク２に接続された酸素放出配管部３７と、低圧側（図１０における下段側）の水素・酸素発生装置４０ｃにおける溶存水素ガスのためのガススクラバ１６からの水素放出配管部１７とが、他の圧力交換器２９ｂに接続されている。つまり、本実施形態では２つの圧力交換器２９ａ、２９ｂが用いられている。
【００９９】
本実施形態では、高圧側の水素・酸素発生装置４０ａから放出される酸素ガスを用いて中圧側の水素・酸素供給装置４０ｂから放出される溶存水素ガスを昇圧させることができ、中圧側の水素・酸素供給装置４０ｂから放出される酸素ガスを用いて低圧側の水素・酸素供給装置４０ｃから放出される溶存水素ガスを昇圧させることができるので、異なる圧力の溶存水素ガスを段階的に昇圧させることができ、その結果、異なるユースポイントに圧力の異なる２種類の水素ガスを供給して再利用することができるのである。また、高圧側の水素・酸素供給装置４０ａにおける溶存水素ガスのためのガススクラバ１６から水素放出配管部１７を介して排出される水素ガスは、前記中圧側の水素・酸素供給装置４０ｂにおいて放出された水素ガスと混合し、昇圧させる。
本実施形態では、高圧、中圧におけるガススクラバ１６からの水素を圧力交換器２９ａに接続し、低圧におけるガススクラバ１６からの水素を圧力交換器２９ｂに接続しているが、これに限定されず、利用したい圧力に合わせて２９ａ，２９ｂのどちらに接続してもよい。また、水素分離タンクからの返送純水を大気圧まで減圧しない場合は、それぞれガススクラバ１６の圧力よりも高い圧力の酸素配管が接続されている圧力交換器に接続するのがよい。
【０１００】
尚、各水素・酸素発生装置４０ａ、４０ｂ、４０ｃにおける構成、作用は、上記実施形態１における水素・酸素発生装置と同じであるため、その説明は省略する。
【０１０１】
（実施形態３）
本実施形態においても、水素供給システムにおいて、分離される酸素ガス及び水素ガスの圧力が異なる３つの水素・酸素発生装置、すなわち高圧側、中圧側、低圧側の水素・酸素発生装置を備えており、この点で上記実施形態２と共通する。
【０１０２】
しかし、本実施形態では、図１１に示すように、高圧側（図１１における上段側）の水素・酸素発生装置４０ａにおける電解タンク２に接続された酸素放出配管部３７と、中圧側（図１１における中段側）の水素・酸素発生装置４０ｂにおける水素ガス供給配管部２１とが、１つの圧力交換器２９ａに接続され、さらに中圧側の水素・酸素発生装置４０ｂにおける電解タンク２に接続された酸素放出配管部３７と、低圧側（図１１における下段側）の水素・酸素発生装置４０ｃにおける水素ガス供給配管部２１とが他の圧力交換器２９ｂに接続されている。
【０１０３】
つまり本実施形態では、昇圧の対象が、水素ガス供給配管部２１からそのままユースポイントに供給される水素ガスであり、その点で廃棄される溶存水素ガスを昇圧させて再利用している実施形態２の場合と相違する。このように昇圧の対象となる水素ガスの種類が実施形態２の場合と相違するものの、本実施形態においても、高圧側の水素・酸素発生装置４０ａから放出される酸素ガスを用いて中圧側の水素・酸素発生装置４０ｂからの水素ガスを昇圧させることができ、中圧側の水素・酸素供給装置４０ｂから放出される酸素ガスを用いて低圧側の水素・酸素発生装置４０ｃからの水素ガスを昇圧させることができるので、異なる圧力の水素ガスを段階的に昇圧させることができ、異なるユースポイントに圧力の異なる２種類の水素ガスを供給することができる点では上記実施形態１と共通している。本実施形態では低圧の水素をコンプレッサーなしで昇圧することができる。
【０１０４】
（実施形態４）
本実施形態では、上記実施形態２と同様にガススクラバ１６から放出される水素ガスを昇圧させ、さらに実施形態３と同様に水素分離タンク４からユースポイントに供給される水素ガスを昇圧させるように構成されている。すなわち、本実施形態では上記実施形態２と実施形態３とを組み合わせて、従来供給していた水素の昇圧を行いつつ、ガススクラバ等により純水中から放出させ廃棄していた水素の昇圧を行ないうるように構成されている。このように双方の水素の昇圧を行なう機能を有するもので、図１２に示すように、ユースポイントに供給される水素ガスを昇圧させるための圧力交換器２９ａ、２９ｂの他、ガススクラバ１６から放出される水素ガスを昇圧させるための圧力交換器２９ｃ、２９ｄ、２９ｅも設けられている。
【０１０５】
（その他の実施形態）
尚、上記実施形態においては、１つの水素・酸素発生装置に１つの水電解装置１を備えている場合について説明したが、本発明はこの構成に限定されるものではなく、例えば、複数の水電解装置１を１つの水素・酸素発生装置に具備させてもよい。この際、各水電解装置１については、それぞれ電解タンク２等を設けて、各水電解装置１をブロック化して、水素・酸素発生装置を構成してもよい。かかる構成によれば、システム全体はもとより、各ブロック毎についても、水電解装置１等の不具合を検知可能であるため、システムのいずれかの箇所に故障等が発生した場合であっても、その故障したブロックのみを停止させて交換等を行うことができる。従って、このようなブロック化を実現した水素供給システムであれば、水電解装置１等に故障が発生した場合であっても、システム全体を停止させる必要がないので、安定したガス供給を実現可能なシステムとすることができる。
【０１０６】
また、本発明においては、自らのシステムにて生成した酸素ガスを用いて、純水タンク３内の純水をバブリングすべく構成することが好ましい。本実施形態に係る水素・酸素供給システムにおいては、空気（中の特に窒素）が唯一の不純物であり、かかる空気は主に純水タンク３を介してシステム中に混入する。したがって、かかる空気を排除すれば、さらに高い純度の水素あるいは酸素を得ることが可能となる。そこで、本発明においては、かかる不純物たる空気を排除するために、純水タンク３中を酸素ガスにてバブリングする構成とすることが好ましい。この際、バブリングには、本来リリーフされるはずの酸素ガス等を用いることが可能である。係る構成によれば、本来リリーフされるべき酸素ガス等を用いることによって、特に新たな設備等を用いることなく、純度の高い水素ガスあるいは酸素ガスを得ることが可能な水素・酸素供給システムを実現することができる。
【０１０７】
上記実施形態においては、水素ガス昇圧のための酸素として廃棄する酸素を利用したが、通常の酸素供給配管３１から供給される酸素を利用してもよい。また、本実施形態においてはリリーフ弁３６を設けた酸素放出配管３７を利用して圧力変換器２９に酸素を供給する構成としたが、酸素放出配管３７とは別に圧力変換器２９に酸素を供給するための酸素供給配管を設けてもよい。酸素放出配管３７は装置異常時に使用されるものであるため、圧力変換器への酸素供給配管と酸素放出配管を別々に設けることが好ましい。
【０１０８】
さらに上記実施形態においては、水電解装置を酸素分離タンク内に収容する構成としたが、酸素分離タンクに代えて水素分離タンク内に収容することも可能で、別の圧力容器内に収容することも可能である。また水電解装置を圧力容器内に収容しない構成とすることも可能である。尚、水電解装置を酸素分離タンク内に収容する構成とした場合においては、水電解装置内部の圧力と水電解装置外部の圧力差を小さいものとし、水電解装置への圧力差による負荷を低減しつつ、より高い圧力の水素ガスを発生させうる。さらに、水素分離タンク内に収容した場合に比べ、部材が水素脆化するのを低減することができる。また、水電解装置に不具合が生じた場合でも、水素分離タンク内の水素ガスの純度低下を防止しうる。尚、部材が水素脆化することを低減しうる点、水電解装置に不具合が生じても水素分離タンク内の水素ガスの純度低下を防止しうる点においては、水電解装置を別途圧力装置に収容して該圧力容器内を窒素ガス等のガスにより加圧しても同様の効果を得ることができるが、水電解装置を酸素分離タンク内に収容する場合、別途圧力装置を用いることで装置の部品点数が増加し、製造コストが増大することを抑制しうる。さらに窒素ガス等の圧力制御等により運転コストが増大することも防止しうる。また、必要とされる水素の純度が低くともかまわない場合、水素分離タンク内に水電解装置を収容した構成としてもよい。
【０１０９】
また、上記実施形態においては、水電解装置を水中に水没させることにより水電解装置を全体的に冷却することができ、局所的な高温が発生することを防止しうる点から水電解装置を水中に水没させた状態で収容しているが、本発明においては、タンク内に台座等を設ける等して水電解装置を水面上に露出させて収容してもよい。本実施形態で使用する超純水は、高圧状態となることで金属等を溶解させ易くなる可能性があることから、前述のように水電解装置を水面上に露出させることで、水電解装置自体の劣化と超純水の純度低下を抑制しつつ、より高い圧力の水素ガスを発生させうる。さらに上記実施形態においては、純水装置配管にポリシャやフィルタ類を配設する構成としたが、発生させうる水素の圧力によっては耐圧性上の関係から使用できない場合がある。このような場合には、高圧に保持されていない箇所、たとえば純水タンクの後段で、補給水ポンプの手前等に配置する構成としてもよい。この場合、水電解装置に供給される純水の純度が低下することが考えられるので、上述のように水電解装置を水面上に露出させ、循環水の一部を系外に取り出し、順次、補給水ポンプにより超純水を供給する構成とするのが好ましい。
【０１１０】
なお、本明細書中において、「所定値」とは、定められたある値を示す場合のみならず、定められたある範囲（ある範囲内の値、あるいは範囲内の複数の値）を示す場合も含む概念である。さらに、昇圧した水素は、ユースポイントに供給せず、気液分離タンクへ戻す構成としてもよい。
また本発明の水素供給システムは、種々の分野における使用が可能であり、その用途としては、エネルギ関連（燃料電池、水素エネルギ等）、半導体関連（プロセスガス、廃ガス燃焼等）、電力関連（タービン発電機の冷却ガス等）、金属関連（還元炉、表面処理等）等があげられる。
【０１１１】
〔数値計算による考察〕
次に、水素発生量や水素の圧力の具体的数値を設定し、従来廃棄されていた酸素によって、同様に廃棄されていた水素を昇圧することの意義について考察する。
固体高分子電解質膜１枚あたりの水素発生量が２４０ＮL／ｈである電解セルにおいて、固体高分子電解質膜１枚あたり、たとえば循環水量６０L／ｈとした場合、このような電解セルにおいては、水素側への移動純水量が循環水量の約３％であることが経験的に認められており、従って約１．８L／ｈの純水がどうしても水素側へ移動し、その結果、その量の純水が水素分離タンクに供給されることとなる。
【０１１２】
発生する水素ガスの圧力が０．４ＭＰａ程度の低圧の装置を想定すると、ガススクラバーから大気放出されて廃棄される水素量は、（０．４ＭＰａにおける溶存水素量）−（０．１ＭＰａにおける溶存水素量）となる。１気圧（０．１ＭＰａ）における溶存水素量は０．０３ＮL／ｈであり、０．４ＭＰａでは約０．１２ＮL／ｈであるから、大気放出されて廃棄される水素量は０．０９ＮL／ｈであり、これは発生する水素量の約０．０４％であり、運転コスト等の観点からほとんど問題となることはない。
【０１１３】
ところが発生する水素ガスの圧力が４０ＭＰａ程度の高圧の装置を想定すると、ガススクラバーから大気放出されて廃棄される水素量は、（４０ＭＰａにおける溶存水素量）−（０．１ＭＰａにおける溶存水素量）となる。４０ＭＰａにおける溶存水素量は、１２．４４ＮL／ｈであるので、大気放出されて廃棄される水素量は１２．４１ＮL／ｈとなる。これは発生する水素量の約５．２％であり、運転コスト等の観点から問題となる。この廃棄される水素量は高圧になる程コスト面で大きな問題となり、また反応条件や循環水量の変動等により移動循環水量が増加した場合も非常に大きな問題となる。
【０１１４】
しかしながら、上記各実施形態では、従来では廃棄されていた酸素によって、水素分離タンクから排出され、ガススクラバーから放出される水素ガスを昇圧して利用することができるので、上記のように４０ＭＰａの水素ガスを発生させる装置において、従来では１２．４４ＮL／ｈ廃棄されていた水素量のうち、９９％近くを有効利用することが可能となった。その結果、高圧化する際に起こっていた運転コストの上昇を防ぐことが可能となる。
【０１１５】
この種の電解セルを備えた装置の水素自動車等への適用を考慮すると、水素の圧力を高圧にせざるを得ない。従って、上記各実施形態の装置は、水素自動車等に適用されるには非常に適したものとなる。
【産業上の利用可能性】
【０１１６】
本発明の水素・酸素供給装置は、純水等の水を電気分解して水素ガスおよび酸素ガスを発生させる水電解装置を用いて構成された水素・酸素供給システム、とりわけクリーンエネルギーとして期待される水素ガスを各ユースポイントに供給する上での水素供給のために広く利用することができる。
【図面の簡単な説明】
【０１１７】
【図１】一実施形態としての水素供給システムの概略ブロック図。
【図２】図１の水素供給システムにおける電解セルの概略断面図。
【図３】一実施形態の水素供給システムを運転する際のフローチャート。
【図４】一実施形態の純水供給制御の一態様を示すフローチャート。
【図５】圧力変換器の概略断面図。
【図６】水素ガス供給時における圧力交換器の概略断面図。
【図７】水素ガスと酸素ガスの圧力が平衡状態となったときの圧力交換器の概略断面図。
【図８】水素ガス排出時における圧力交換器の概略断面図。
【図９】一実施形態の電流値制御の一態様を示すフローチャート。
【図１０】他実施形態としての水素供給システムの概略ブロック図。
【図１１】他実施形態としての水素供給システムの概略ブロック図。
【図１２】他実施形態としての水素供給システムの概略ブロック図。
【符号の説明】
【０１１８】
１…水電解装置              ２…電解タンク
４…水素分離タンク          １６…ガススクラバ
２９…圧力交換器
４０ａ、４０ｂ、４０ｃ…水素・酸素発生装置
【図１】
2006131942.tif 000003
【図２】
2006131942.tif 000004
【図３】
2006131942.tif 000005
【図４】
2006131942.tif 000006
【図５】
2006131942.tif 000007
【図６】
2006131942.tif 000008
【図７】
2006131942.tif 000009
【図８】
2006131942.tif 000010
【図９】
2006131942.tif 000011
【図１０】
2006131942.tif 000012
【図１１】
2006131942.tif 000013
【図１２】
2006131942.tif 000014